(57)【要約】【課題】  小型でかつ全ズーム範囲にわたり高い光学性能を有するズームレンズを得ること。【解決手段】  本発明に係るズームレンズＺＬは、物体側から像側へ順に配置された、正の屈折力を有する第１レンズ群Ｌ１、負の屈折力を有する第２レンズ群Ｌ２、正の屈折力を有する第３レンズ群Ｌ３、第Ｎ−１レンズ群、第Ｎレンズ群を有する。第Ｎ−１レンズ群および第Ｎレンズ群は、開口絞りＳＰよりも像側に配置され、第Ｎ−１レンズ群および前記第Ｎレンズ群が負の屈折力を有する場合は第Ｎ−１レンズ群を像側負レンズ群ＬＲ、前記第Ｎ−１レンズ群および前記第Ｎレンズ群のうち一方のみが負の屈折力を有する場合は当該負の屈折力を有するレンズ群を像側負レンズ群ＬＲとする。このとき、第１、第２レンズ群Ｌ１、Ｌ２の屈折力、第２レンズ群のシェイプファクター、開口絞りの像側における屈折力配置等を規定したことを特徴とする。【選択図】  図１
2020086305.tif 000002
【特許請求の範囲】
【請求項１】
物体側から像側へ順に配置された、正の屈折力を有する第１レンズ群、負の屈折力を有する第２レンズ群、正の屈折力を有する第３レンズ群、最も像側から数えて２番目に配置された第Ｎ−１レンズ群、最も像側に配置された第Ｎレンズ群を有し、ズーミングに際して隣りあうレンズ群の間隔が変化するズームレンズであって、
前記第Ｎ−１レンズ群および前記第Ｎレンズ群は、開口絞りよりも像側に配置され、
前記第Ｎ−１レンズ群および前記第Ｎレンズ群の少なくとも一方が負の屈折力を有し、
前記第Ｎ−１レンズ群および前記第Ｎレンズ群が負の屈折力を有する場合は前記第Ｎ−１レンズ群を像側負レンズ群、前記第Ｎ−１レンズ群および前記第Ｎレンズ群のうち一方のみが負の屈折力を有する場合は当該負の屈折力を有するレンズ群を像側負レンズ群とするとき、
前記開口絞りを有するレンズ群から前記像側レンズ群の物体側に隣接して配置されたレンズ群までの、無限遠合焦時の広角端における合成屈折力は正の屈折力であり、
前記像側レンズ群から像側の無限遠合焦時の広角端における合成屈折力は負の屈折力であり、
前記ズームレンズの無限遠合焦時の広角端における焦点距離をｆｗ、無限遠合焦時の広角端におけるバックフォーカスをｓｋｗ、前記第１レンズ群の焦点距離をｆ１、前記第２レンズ群の焦点距離をｆ２、前記第２レンズ群の最も物体側の面の曲率半径をＲｇ２ｒ１、前記第２レンズ群の最も像側の面の曲率半径をＲｇ２ｒ２、前記開口絞りを有するレンズ群から前記像側レンズ群の物体側に隣接して配置されたレンズ群までの、無限遠合焦時の広角端における合成焦点距離をｆｐ、前記像側レンズ群から像側の無限遠合焦時の広角端における合成焦点距離をｆｎとするとき、
０．４０＜ｆｗ／ｓｋｗ＜２．９０
−８．５０＜ｆ１／ｆ２＜−５．９０
１．０７＜｜（Ｒｇ２ｒ１＋Ｒｇ２ｒ２）／（Ｒｇ２ｒ１−Ｒｇ２ｒ２）｜
−１．２７＜ｆｎ／ｆｐ＜−０．７０
なる条件式を満たすことを特徴とするズームレンズ。
【請求項２】
前記第１レンズ群の最も物体側の面の曲率半径をＲｇ１ｒ１、前記第１レンズ群の最も像側の面の曲率半径をＲｇ１ｒ２とするとき、
０．８０＜｜（Ｒｇ１ｒ１＋Ｒｇ１ｒ２）／（Ｒｇ１ｒ１−Ｒｇ１ｒ２）｜
なる条件式を満たすことを特徴とする請求項１に記載のズームレンズ。
【請求項３】
２．７０＜ｆ１／ｓｋｗ＜２５．００
なる条件式を満たすことを特徴とする請求項１または２に記載のズームレンズ。
【請求項４】
−３．００＜ｆ２／ｓｋｗ＜−０．３５
なる条件式を満たすことを特徴とする請求項１乃至３のいずれか１項に記載のズームレンズ。
【請求項５】
前記第２レンズ群を構成する全てのレンズは、球面レンズであることを特徴とする請求項１乃至４のいずれか１項に記載のズームレンズ。
【請求項６】
前記開口絞りよりも物体側に配置される全てのレンズは、球面レンズであることを特徴とする請求項１乃至５のいずれか１項に記載のズームレンズ。
【請求項７】
前記像側レンズ群は正レンズを含むことを特徴とする請求項１乃至６のいずれか１項に記載のズームレンズ。
【請求項８】
前記像側レンズ群が第Ｎ−１レンズ群の場合は前記第Ｎ−１レンズ群および前記第Ｎレンズ群の少なくとも一方が、前記像側レンズ群が第Ｎレンズ群の場合は前記第Ｎレンズ群が、フォーカシングに際して移動することを特徴とする請求項１乃至７のいずれか１項に記載のズームレンズ。
【請求項９】
前記第Ｎ−１レンズ群および前記第Ｎレンズ群は、正レンズと負レンズを含む接合レンズからなることを特徴とする請求項１乃至８のいずれか１項に記載のズームレンズ。
【請求項１０】
前記第３レンズ群は、前記開口絞りを有することを特徴とする請求項１乃至９のいずれか１項に記載のズームレンズ。
【請求項１１】
物体側から像側へ順に配置された、前記第１レンズ群、前記第２レンズ群、前記第３レンズ群、正の屈折力の第４レンズ群、前記第Ｎ−１レンズ群としての負の屈折力の第５レンズ群、前記第Ｎレンズ群としての負の屈折力の第６レンズ群からなることを特徴とする請求項１乃至１０のいずれか１項に記載のズームレンズ。
【請求項１２】
物体側から像側へ順に配置された、前記第１レンズ群、前記第２レンズ群、前記第３レンズ群、正の屈折力の第４レンズ群、前記第Ｎ−１レンズ群としての負の屈折力の第５レンズ群、前記第Ｎレンズ群としての正の屈折力の第６レンズ群からなることを特徴とする請求項１乃至１０のいずれか１項に記載のズームレンズ。
【請求項１３】
物体側から像側へ順に配置された、前記第１レンズ群、前記第２レンズ群、前記第３レンズ群、負の屈折力の第４レンズ群、前記第Ｎ−１レンズ群としての正の屈折力の第５レンズ群、前記第Ｎレンズ群としての負の屈折力の第６レンズ群からなることを特徴とする請求項１乃至１０のいずれか１項に記載のズームレンズ。
【請求項１４】
物体側から像側へ順に配置された、前記第１レンズ群、前記第２レンズ群、前記第３レンズ群、負の屈折力の第４レンズ群、正の屈折力の第５レンズ群、前記第Ｎ−１レンズ群としての負の屈折力の第６レンズ群、前記第Ｎレンズ群としての負の屈折力の第７レンズ群からなることを特徴とする請求項１乃至１０のいずれか１項に記載のズームレンズ。
【請求項１５】
物体側から像側へ順に配置された、前記第１レンズ群、前記第２レンズ群、前記第３レンズ群、前記第Ｎ−１レンズ群としての負の屈折力の第４レンズ群、前記第Ｎレンズ群としての負の屈折力の第５レンズ群からなることを特徴とする請求項１乃至１０のいずれか１項に記載のズームレンズ。
【請求項１６】
請求項１乃至１５のいずれか１項に記載のズームレンズと、
該ズームレンズによって形成された像を受光する撮像素子を有することを特徴とする撮像装置。
【発明の詳細な説明】
【技術分野】
【０００１】
本発明は、ズームレンズ及び撮像装置に関する。
【背景技術】
【０００２】
小型で全ズーム範囲にわたって高い光学性能を有するズームレンズが要望されている。そのために、撮像後に画像処理で歪曲収差を補正することを前提として、広角端における樽型の歪曲収差の発生を許容したズームレンズが知られている。
【０００３】
例えば、特許文献１は、物体側から像側へ順に配置された、正の屈折力の第１レンズ群、負の屈折力の第２レンズ群、正の屈折力の第３レンズ群、負の屈折力の第４レンズ群、正の屈折力の屈折力の第５レンズ群からなり、歪曲収差を許容した高倍率のズームレンズを開示している。
【先行技術文献】
【特許文献】
【０００４】
【特許文献１】特開２０１７−６８１５５号公報
【発明の概要】
【発明が解決しようとする課題】
【０００５】
ズームレンズにおいて、全ズーム範囲にわたって高い光学性能を維持しつつレンズ全長の短縮化を図るためには、絞りより像側に配置される複数のレンズ群の屈折力の関係を適切に設定することが必要となる。
【０００６】
そこで、本発明は上記課題に鑑みなされたものであり、小型でかつ全ズーム範囲にわたり高い光学性能を有するズームレンズを提供することを目的とする。
【課題を解決するための手段】
【０００７】
本発明は、物体側から像側へ順に配置された、正の屈折力を有する第１レンズ群、負の屈折力を有する第２レンズ群、正の屈折力を有する第３レンズ群、最も像側から数えて２番目に配置された第Ｎ−１レンズ群、最も像側に配置された第Ｎレンズ群を有し、ズーミングに際して隣りあうレンズ群の間隔が変化するズームレンズであって、前記第Ｎ−１レンズ群および前記第Ｎレンズ群は、開口絞りよりも像側に配置され、前記第Ｎ−１レンズ群および前記第Ｎレンズ群の少なくとも一方が負の屈折力を有し、前記第Ｎ−１レンズ群および前記第Ｎレンズ群が負の屈折力を有する場合は前記第Ｎ−１レンズ群を像側負レンズ群、前記第Ｎ−１レンズ群および前記第Ｎレンズ群のうち一方のみが負の屈折力を有する場合は当該負の屈折力を有するレンズ群を像側負レンズ群とするとき、前記開口絞りを有するレンズ群から前記像側レンズ群の物体側に隣接して配置されたレンズ群までの、無限遠合焦時の広角端における合成屈折力は正の屈折力であり、前記像側レンズ群から像側の無限遠合焦時の広角端における合成屈折力は負の屈折力であり、前記ズームレンズの無限遠合焦時の広角端における焦点距離をｆｗ、無限遠合焦時の広角端におけるバックフォーカスをｓｋｗ、前記第１レンズ群の焦点距離をｆ１、前記第２レンズ群の焦点距離をｆ２、前記第２レンズ群の最も物体側の面の曲率半径をＲｇ２ｒ１、前記第２レンズ群の最も像側の面の曲率半径をＲｇ２ｒ２、前記開口絞りを有するレンズ群から前記像側レンズ群の物体側に隣接して配置されたレンズ群までの、無限遠合焦時の広角端における合成焦点距離をｆｐ、前記像側レンズ群から像側の無限遠合焦時の広角端における合成焦点距離をｆｎとするとき、
０．４０＜ｆｗ／ｓｋｗ＜２．９０
−８．５０＜ｆ１／ｆ２＜−５．９０
１．０７＜｜（Ｒｇ２ｒ１＋Ｒｇ２ｒ２）／（Ｒｇ２ｒ１−Ｒｇ２ｒ２）｜
−１．２７＜ｆｎ／ｆｐ＜−０．７０
なる条件式を満たすことを特徴とする。
【発明の効果】
【０００８】
本発明のズームレンズは、小型でかつ全ズーム範囲にわたり高い光学性能を有する。
【図面の簡単な説明】
【０００９】
【図１】実施例１のズームレンズの断面図である。
【図２】実施例１のズームレンズの収差図である。
【図３】実施例２のズームレンズの断面図である。
【図４】実施例２のズームレンズの収差図である。
【図５】実施例３のズームレンズの断面図である。
【図６】実施例３のズームレンズの収差図である。
【図７】実施例４のズームレンズの断面図である。
【図８】実施例４のズームレンズの収差図である。
【図９】実施例５のズームレンズの断面図である。
【図１０】実施例５のズームレンズの収差図である。
【図１１】実施例６のズームレンズの断面図である。
【図１２】実施例６のズームレンズの収差図である。
【図１３】実施例７のズームレンズの断面図である。
【図１４】実施例７のズームレンズの収差図である。
【図１５】実施例の撮像装置の構成を示す図である。
【発明を実施するための形態】
【００１０】
以下、本発明の実施例に係るズームレンズ及び撮像装置について、添付の図面に基づいて詳細に説明する。
【００１１】
［ズームレンズの実施例］
各実施例のズームレンズは、デジタルスチルカメラ、放送用カメラ、銀塩フィルム用カメラ、監視用カメラ等の撮像装置に用いられる撮影ズームレンズである。
【００１２】
図１、３、５、７、９、１１、１３に示すズームレンズの断面図において、左方が物体側（前方）であり、右方が像側（後方）である。また各断面図において、ｉを物体側から像側へのレンズ群の順番とすると、Ｌｉは第ｉレンズ群を示す。また、開口絞りＳＰは、開放Ｆナンバー（Ｆｎｏ）の光束を決定（制限）する。無限遠物体から最至近距離物体へのフォーカシングに際して、フォーカスレンズ群は、図中の矢印に示すように移動する。
【００１３】
デジタルスチルカメラや放送用カメラなどに各実施例のズームレンズを使用する場合は、像面ＩＰは、ＣＣＤセンサまたはＣＭＯＳセンサ等の撮像素子（光電変換素子）の撮像面に相当する。銀塩フィルムカメラに各実施例のズームレンズを使用する場合は、像面ＩＰはフィルム面に相当する。
【００１４】
図２、４、６、８、１０、１２、１４は、各実施例のズームレンズの収差図である。球面収差図においてＦｎｏはＦナンバーである。球面収差図において実線はｄ線（波長５８７．６ｎｍ）、二点鎖線はｇ線（波長４３５．８ｎｍ）である。非点収差図において破線Ｍはメリディオナル像面、実線Ｓはサジタル像面である。歪曲収差はｄ線について示している。倍率色収差はｇ線について示している。ωは半画角（度）である。
【００１５】
本明細書において、「レンズ群」は、複数のレンズから構成されていてもよいし、１枚のレンズから構成されていてもよい。「バックフォーカス」は、ズームレンズの最終面から近軸像面までの光軸上の距離を空気換算長により表記したものである。「レンズ全長」は、ズームレンズの最前面から最終面までの光軸上の距離にバックフォーカスを加えたものである。ある材料のアッベ数νｄは、ｇ線（波長４３５．８ｎｍ）、Ｆ線（４８６．１ｎｍ）、ｄ線（５８７．６ｎｍ）、Ｃ線（６５６．３ｎｍ）に対する材料の屈折率をそれぞれＮｇ、ＮＦ、Ｎｄ、ＮＣとするとき、νｄ＝（Ｎｄ−１）／（ＮＦ−ＮＣ）として表す。「広角端」はズームレンズの焦点距離が最も短くなるときのズーム位置であり、「望遠端」はズームレンズの焦点距離が最も長くなるときのズーム位置である。
【００１６】
本発明の実施例に係るズームレンズは、ズーミングに際して隣り合うレンズ群の間隔が変化する複数のレンズ群を有する。そして、当該複数のレンズ群は、物体側から像側へ順に配置された、正の屈折力を有する第１レンズ群、負の屈折力を有する第２レンズ群、正の屈折力を有する第３レンズ群、最も像側から数えて２番目に配置された第Ｎ−１レンズ群、最も像側に配置された第Ｎレンズ群を有する。
【００１７】
第Ｎ−１レンズ群および第Ｎレンズ群は開口絞りよりも像側に配置され、第Ｎ−１レンズ群および第Ｎレンズ群の少なくとも一方が負の屈折力を有する。さらに、第Ｎ−１レンズ群および第Ｎレンズ群が負の屈折力を有する場合は第Ｎ−１レンズ群を像側負レンズ群とし、第Ｎ−１レンズ群および第Ｎレンズ群のうち一方のみが負の屈折力を有する場合は当該負の屈折力を有するレンズ群を像側負レンズ群とする。
【００１８】
また、開口絞りを有するレンズ群から像側レンズ群の物体側に隣接して配置されたレンズ群までの、無限遠合焦時の広角端における合成屈折力は正の屈折力である。像側レンズ群から像側の無限遠合焦時の広角端における合成屈折力は負の屈折力である。
【００１９】
第１レンズ群、第２レンズ群、第３レンズ群をこのような構成にすることで、ズーム比が比較的大きなズームレンズを得ることができる。
【００２０】
開口絞りよりも像側の屈折力を像側に向かって正、負の並びにすることにより、光学的配置をテレフォトタイプとしている。このような構成にすることで、ズームレンズのレンズ全長を短縮することができる。
【００２１】
さらに、本発明の実施例に係るズームレンズを以下の条件式（１）〜（４）を満たすように構成している。
０．４０＜ｆｗ／ｓｋｗ＜２．９０      ・・・（１）
−８．５０＜ｆ１／ｆ２＜−５．９０    ・・・（２）
１．０７＜｜（Ｒｇ２ｒ１＋Ｒｇ２ｒ２）／（Ｒｇ２ｒ１−Ｒｇ２ｒ２）｜
・・・（３）
−１．２７＜ｆｎ／ｆｐ＜−０．７０    ・・・（４）
【００２２】
ただし、ズームレンズの無限遠合焦時の広角端における焦点距離をｆｗ、無限遠合焦時の広角端におけるバックフォーカスをｓｋｗ、第１レンズ群の焦点距離をｆ１、第２レンズ群の焦点距離をｆ２とする。第２レンズ群の最も物体側の面の曲率半径をＲｇ２ｒ１、第２レンズ群の最も像側の面の曲率半径をＲｇ２ｒ２とする。開口絞りを有するレンズ群から像側レンズ群の物体側に隣接して配置されたレンズ群までの、無限遠合焦時の広角端における合成焦点距離をｆｐ、像側レンズ群から像側の無限遠合焦時の広角端における合成焦点距離をｆｎとする。なお、像側レンズ群の像側に別のレンズ群が無い場合は、像側レンズ群の焦点距離をｆｎとする。
【００２３】
条件式（１）は、ズームレンズの無限遠合焦時の広角端の焦点距離と無限遠合焦時のバックフォーカスの比を規定している。条件式（１）の下限値を下回ってバックフォーカスが長くなると、レンズ全長が大きくなりズームレンズが大型化するため好ましくない。条件式（１）の上限値を上回ってバックフォーカスが短くなると、像面への軸外光線の入射角が大きくなる。これにより、撮像素子による周辺像高の光量落ちや色付きといった、所謂シェーディングが発生するため、好ましくない。
【００２４】
条件式（２）は、ズームレンズの第１レンズ群と第２レンズ群の焦点距離の比を規定している。条件式（２）の下限値を下回って第１レンズ群の焦点距離が長くなると、第１レンズ群の屈折力が弱すぎて、レンズ全長が長くなり、ズームレンズの小型化が困難となるため好ましくない。条件式（２）の上限値を上回って第１レンズ群の焦点距離が短くなると、第１レンズ群の屈折力が強くなり、ズーミングに際して球面収差や像面湾曲等の収差変動が大きくなるため好ましくない。
【００２５】
条件式（３）式は、第２レンズ群の最も物体側の面と像側の面とのシェイプファクタに関する。開口絞りより像側をテレフォトタイプの屈折力構成とした場合、軸外光束の像面に対する最大入射角が大きくなりやすく、シェーディングが生じやすくなり画像周辺において色付きや照度劣化が生じやすくなる。そこで、像円径を小さくすることによって軸外光線のセンサへの入射角を抑制するために本条件を規定している。条件式（３）の下限値を下回ると、第２レンズ群において樽型の歪曲収差が低減し、広角端において像円径を小径化することが困難になる。これによりズームレンズを構成する各レンズの径が大きくなりズームレンズの小型化が困難になるため好ましくない。さらに、望遠端において、第２レンズ群に起因するコマ収差が発生するため好ましくない。
【００２６】
条件式（４）式は、開口絞りよりも像側の屈折力の関係を規定している。条件式（４）の下限値を下回って像側レンズ群から像側の合成焦点距離が長くなり（負の合成焦点距離の絶対値が大きくなり）負の合成屈折力が弱くなると、テレフォトタイプの屈折力バランスを得ることが困難になる。これにより、ズームレンズが大型になるため好ましくない。条件式（４）の上限値を上回って、像側レンズ群から像側の合成焦点距離が短くなり（負の合成焦点距離の絶対値が小さくなり）負の合成屈折力が強くなると、軸外光束を跳ね上げる力が強くなり、像面に対する最大入射角が大きくなる。これにより、シェーディングが発生するため好ましくない。
【００２７】
なお、好ましくは条件式（１）〜（４）の数値範囲を次のように設定するとよい。
０．６０＜ｆｗ／ｓｋｗ＜２．７０      ・・・（１ａ）
−８．３０＜ｆ１／ｆ２＜−５．９３    ・・・（２ａ）
１．０８＜｜（Ｒｇ２ｒ１＋Ｒｇ２ｒ２）／（Ｒｇ２ｒ１−Ｒｇ２ｒ２）｜
・・・（３ａ）
−１．２６６＜ｆｎ／ｆｐ＜−０．７２  ・・・（４ａ）
【００２８】
さらに好ましくは、条件式（１）〜（４）の数値範囲を次のように設定するとよい。
０．７５＜ｆｗ／ｓｋｗ＜２．５０      ・・・（１ｂ）
−８．１０＜ｆ１／ｆ２＜−５．９５    ・・・（２ｂ）
１．０９＜｜（Ｒｇ２ｒ１＋Ｒｇ２ｒ２）／（Ｒｇ２ｒ１−Ｒｇ２ｒ２）｜
・・・（３ｂ）
−１．２６５＜ｆｎ／ｆｐ＜−０．７４  ・・・（４ｂ）
【００２９】
さらに、実施例に係るズームレンズは、以下の条件式（５）〜（７）のうち１つ以上を満たすことが好ましい。これにより、ズームレンズの小型および全ズーム範囲にわたる高い光学性能のうち少なくともいずれかの効果を得ることができる。
０．８０＜｜（Ｒｇ１ｒ１＋Ｒｇ１ｒ２）／（Ｒｇ１ｒ１−Ｒｇ１ｒ２）｜
・・・（５）
２．７０＜ｆ１／ｓｋｗ＜２５．００    ・・・（６）
−３．００＜ｆ２／ｓｋｗ＜−０．３５  ・・・（７）
【００３０】
ここで、第１レンズ群の最も物体側の面の曲率半径をＲｇ１ｒ１、第１レンズ群の最も像側の面の曲率半径をＲｇ１ｒ２とする。
【００３１】
条件式（５）は第１レンズ群の最も物体側の面と最も像側の面とのシェイプファクタを規定している。条件式（５）は、第１レンズ群の最も物体側の面と最も像側の面の形状との差が比較的少ないことを示している。条件式（５）の下限値を下回って第１レンズ群の最も物体側の面と第１レンズ群の最も像側の面との曲率半径の差が大きくなると、球面収差の打ち消し関係が悪化するため好ましくない。
【００３２】
条件式（６）式は、第１レンズ群の焦点距離と広角端において無限遠合焦時のバックフォーカスの比を規定している。条件式（６）の下限値を下回って第１レンズ群の焦点距離が短くなり第１レンズ群の屈折力が強くなると、第１レンズ群で発生する球面収差等の諸収差が大きくなるため好ましくない。条件式（６）の上限値を上回って第１レンズ群の焦点距離が長くなり第１レンズ群の屈折力が弱くなると、レンズ全長が長くなって、ズームレンズの小型化が困難になるため好ましくない。
【００３３】
条件式（７）は、第２レンズ群の焦点距離と、広角端において無限遠合焦時のバックフォーカスの比を規定している。条件式（７）の下限値を下回って第２レンズ群の焦点距離が長くなる（焦点距離の絶対値が大きくなる）と、第２レンズ群の屈折力が弱くなって、ズーミングに際して第２レンズ群の移動量が大きくなり、ズームレンズの小型化が困難になるため好ましくない。条件式（７）の上限値を上回って第２レンズ群の焦点距離が短くなる（焦点距離の絶対値が小さくなる）と、第２レンズ群の屈折力が強くなって、ズーミングの際に像面湾曲等の収差変動が大きくなるため好ましくない。
【００３４】
なお、好ましくは条件式（５）〜（７）の数値範囲を次のように設定するとよい。
１．００＜｜（Ｒｇ１ｒ１＋Ｒｇ１ｒ２）／（Ｒｇ１ｒ１−Ｒｇ１ｒ２）｜
・・・（５ａ）
３．００＜ｆ１／ｓｋｗ＜１５．００  ・・・（６ａ）
−２．５０＜ｆ２／ｓｋｗ＜−０．４５・・・（７ａ）
【００３５】
さらに好ましくは、条件式（５）〜（７）の数値範囲を次のように設定するとよい。
１．１０＜｜（Ｒｇ１ｒ１＋Ｒｇ１ｒ２）／（Ｒｇ１ｒ１−Ｒｇ１ｒ２）｜
・・・（５ｂ）
３．３０＜ｆ１／ｓｋｗ＜１２．００  ・・・（６ｂ）
−２．２０＜ｆ２／ｓｋｗ＜−０．５３・・・（７ｂ）
【００３６】
第２レンズ群を構成する全てのレンズと開口絞りよりも物体側に配置される全てのレンズとのうち少なくとも一方は、球面レンズであることが好ましい。これにより、歪曲収差以外の諸収差に関して高い補正効果を得ることができる。特に、撮像装置側で電子的に歪曲収差の補正を行う場合に、収差の少ない画像を得ることができるため有利である。また、球面レンズのみで構成することによって、ズームレンズのコストを低減することができる。
【００３７】
像側レンズ群は、正のレンズを含むことが好ましい。負の屈折力を有する像側レンズ群内に正レンズを配置することにより、倍率色収差を補正しやすくなる。
【００３８】
像側レンズ群が第Ｎ−１レンズ群の場合は、第Ｎ−１レンズ群および第Ｎレンズ群の少なくとも一方が、像側レンズ群が第Ｎレンズ群の場合は第Ｎレンズ群が、フォーカシングに際して移動することが好ましい。軸上光束の周辺光線の高さが比較的低い位置にフォーカシングに際して移動するレンズが配置されることにより、フォーカシングに伴う収差変動を抑制することができる。これにより、無限遠から最至近距離への合焦に際して高い光学性能を得ることができる。
【００３９】
第Ｎ−１レンズ群および第Ｎレンズ群を接合レンズから構成することが好ましい。像面に比較的近い側に配置されたレンズ群において、レンズと空気の境界面を少なくなるように構成することにより、像面に配置された撮像素子等によって物体側に反射された光に起因するゴーストを低減することができる。
【００４０】
また、軸外光束の光軸からの最大高さが高いほど、倍率色収差の補正効果が高くなる。そこで、軸外光線の高さが高くなる像面に近い位置に、正レンズと負レンズを含むレンズ群を配置することによって倍率色収差の補正効果を高めている。また、接合レンズに含まれる正レンズおよび負レンズの数は１つに限られるものではなく、少なくともいずれかが複数あってもよい。
【００４１】
（実施例１）
図１は実施例１のズームレンズＺＬの無限遠合焦時の広角端における断面図である。図２は実施例１のズームレンズＺＬの無限遠合焦時の収差図である。図２（Ａ）は広角端、図２（Ｂ）は中間のズーム位置、図２（Ｃ）は望遠端における収差を示している。
【００４２】
実施例１のズームレンズを構成する複数のレンズ群は、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、負の屈折力の第６レンズ群Ｌ６からなる。
【００４３】
第５レンズ群Ｌ５が前述の第Ｎ−１レンズ群に相当し、第６レンズ群Ｌ６が前述の第Ｎレンズ群に相当する。本実施例において前述の像側レンズ群ＬＲは第５レンズ群Ｌ５である。また、第３レンズ群Ｌ３が開口絞りＳＰを有する。したがって、条件式（４）のパラメータに関して、第３レンズ群Ｌ３と第４レンズ群Ｌ４の合成焦点距離がｆｐ、第５レンズ群Ｌ６と第６レンズ群Ｌ６の合成焦点距離がｆｎに相当する。
【００４４】
ズームレンズＺＬにおいて、ズーミングに際して各レンズ群が移動し、隣り合うレンズ群の間隔が変化する。なお、ズーミングに際して第４レンズ群Ｌ４と第６レンズ群Ｌ６は同一の軌跡で（一体で）移動する。これにより、駆動用のカム機構を簡素化することができる。
【００４５】
無限遠物体から最至近距離物体へのフォーカシングに際して、第５レンズ群Ｌ５が像側へ移動する。その他のレンズ群はフォーカシングに際して不動である。
【００４６】
（実施例２）
図３は実施例２のズームレンズＺＬの無限遠合焦時の広角端における断面図である。図４は実施例２のズームレンズＺＬの無限遠合焦時の収差図である。図４（Ａ）は広角端、図４（Ｂ）は中間のズーム位置、図４（Ｃ）は望遠端における収差を示している。
【００４７】
実施例２のズームレンズを構成する複数のレンズ群は、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、正の屈折力の第６レンズ群Ｌ６からなる。
【００４８】
第５レンズ群Ｌ５が前述の第Ｎ−１レンズ群に相当し、第６レンズ群Ｌ６が前述の第Ｎレンズ群に相当する。本実施例において前述の像側レンズ群ＬＲは第５レンズ群Ｌ５である。また、第３レンズ群Ｌ３が開口絞りＳＰを有する。したがって、条件式（４）のパラメータに関して、第３レンズ群Ｌ３と第４レンズ群Ｌ４の合成焦点距離がｆｐ、第５レンズ群Ｌ６と第６レンズ群Ｌ６の合成焦点距離がｆｎに相当する。
【００４９】
ズームレンズＺＬにおいて、ズーミングに際して各レンズ群が移動し、隣り合うレンズ群の間隔が変化する。なお、ズーミングに際して各レンズ群は別の軌跡で移動する。
【００５０】
無限遠物体から最至近距離物体へのフォーカシングに際して、第５レンズ群Ｌ５が像側へ移動する。その他のレンズ群はフォーカシングに際して不動である。
【００５１】
（実施例３）
図５は実施例３のズームレンズＺＬの無限遠合焦時の広角端における断面図である。図６は実施例３のズームレンズＺＬの無限遠合焦時の収差図である。図６（Ａ）は広角端、図６（Ｂ）は中間のズーム位置、図６（Ｃ）は望遠端における収差を示している。
【００５２】
実施例３に係るズームレンズにおいて、各レンズ群の屈折力、開口絞りＳＰを有するレンズ群、フォーカシングに際して移動するレンズ群およびその移動方向、条件式（４）のパラメータとレンズ群との対応関係は、実施例１のズームレンズと同様のため説明を省略する。
【００５３】
（実施例４）
図７は実施例４のズームレンズＺＬの無限遠合焦時の広角端における断面図である。図８は実施例４のズームレンズＺＬの無限遠合焦時の収差図である。図８（Ａ）は広角端、図８（Ｂ）は中間のズーム位置、図８（Ｃ）は望遠端における収差を示している。
【００５４】
実施例４に係るズームレンズにおいて、各レンズ群の屈折力、開口絞りＳＰを有するレンズ群、フォーカシングに際して移動するレンズ群およびその移動方向、条件式（４）のパラメータとレンズ群との対応関係は、実施例１のズームレンズと同様のため説明を省略する。
【００５５】
（実施例５）
図７は実施例５のズームレンズＺＬの無限遠合焦時の広角端における断面図である。図８は実施例５のズームレンズＺＬの無限遠合焦時の収差図である。図８（Ａ）は広角端、図８（Ｂ）は中間のズーム位置、図８（Ｃ）は望遠端における収差を示している。
【００５６】
実施例５のズームレンズを構成する複数のレンズ群は、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、負の屈折力の第６レンズ群Ｌ６からなる。
【００５７】
第５レンズ群Ｌ５が前述の第Ｎ−１レンズ群に相当し、第６レンズ群Ｌ６が前述の第Ｎレンズ群に相当する。本実施例において前述の像側レンズ群ＬＲは第６レンズ群Ｌ６である。
【００５８】
また、第３レンズ群Ｌ３が開口絞りＳＰを有する。したがって、条件式（４）のパラメータに関して、第３レンズ群Ｌ３と第４レンズ群Ｌ４と第５レンズ群Ｌ５の合成焦点距離がｆｐ、第６レンズ群Ｌ６の焦点距離がｆｎに相当する。
【００５９】
ズームレンズＺＬにおいて、ズーミングに際して各レンズ群が移動し、隣り合うレンズ群の間隔が変化する。なお、ズーミングに際して各レンズ群は別の軌跡で移動する。
【００６０】
無限遠物体から最至近距離物体へのフォーカシングに際して、第６レンズ群Ｌ６が像側へ移動する。その他のレンズ群はフォーカシングに際して不動である。
【００６１】
（実施例６）
図７は実施例６のズームレンズＺＬの無限遠合焦時の広角端における断面図である。図８は実施例６のズームレンズＺＬの無限遠合焦時の収差図である。図８（Ａ）は広角端、図８（Ｂ）は中間のズーム位置、図８（Ｃ）は望遠端における収差を示している。
【００６２】
実施例６のズームレンズを構成する複数のレンズ群は、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、負の屈折力の第６レンズ群Ｌ６、負の屈折力の第７レンズ群Ｌ７からなる。
【００６３】
第６レンズ群Ｌ６が前述の第Ｎ−１レンズ群に相当し、第７レンズ群Ｌ７が前述の第Ｎレンズ群に相当する。本実施例において前述の像側レンズ群ＬＲは第６レンズ群Ｌ６である。また、第３レンズ群Ｌ３が開口絞りＳＰを有する。したがって、条件式（４）のパラメータに関して、第３レンズ群Ｌ３と第４レンズ群Ｌ４と第５レンズ群Ｌ５の合成焦点距離がｆｐ、第６レンズ群Ｌ６と第７レンズ群Ｌ７の合成焦点距離がｆｎに相当する。ズームレンズＺＬにおいて、ズーミングに際して各レンズ群が移動し、隣り合うレンズ群の間隔が変化する。なお、ズーミングに際して各レンズ群は別の軌跡で移動する。
【００６４】
無限遠物体から最至近距離物体へのフォーカシングに際して、第５レンズ群Ｌ５が像側へ移動する。その他のレンズ群はフォーカシングに際して不動である。
【００６５】
（実施例７）
図７は実施例７のズームレンズＺＬの無限遠合焦時の広角端における断面図である。図８は実施例７のズームレンズＺＬの無限遠合焦時の収差図である。図８（Ａ）は広角端、図８（Ｂ）は中間のズーム位置、図８（Ｃ）は望遠端における収差を示している。
【００６６】
実施例７のズームレンズを構成する複数のレンズ群は、正の屈折力の第１レンズ群Ｌ１、負の屈折力の第２レンズ群Ｌ２、正の屈折力の第３レンズ群Ｌ３、負の屈折力の第４レンズ群Ｌ４、負の屈折力の第５レンズ群Ｌ５からなる。
【００６７】
第４レンズ群Ｌ４が前述の第Ｎ−１レンズ群に相当し、第５レンズ群Ｌ５が前述の第Ｎレンズ群に相当する。本実施例において前述の像側レンズ群ＬＲは第５レンズ群Ｌ５である。また、第３レンズ群Ｌ３が開口絞りＳＰを有する。したがって、条件式（４）のパラメータに関して、第３レンズ群Ｌ３焦点距離がｆｐ、第４レンズ群Ｌ４と第５レンズ群Ｌ５の合成焦点距離がｆｎに相当する。
【００６８】
ズームレンズＺＬにおいて、ズーミングに際して各レンズ群が移動し、隣り合うレンズ群の間隔が変化する。なお、ズーミングに際して各レンズ群は別の軌跡で移動する。
【００６９】
無限遠物体から最至近距離物体へのフォーカシングに際して、第４レンズ群Ｌ４が像側へ移動する。その他のレンズ群はフォーカシングに際して不動である。
【００７０】
また、実施例１〜７のズームレンズにおいて、第１レンズ群Ｌ１および第２レンズ群Ｌ２に含まれる全てのレンズは球面レンズである。また、実施例１〜７のズームレンズは、像側レンズ群ＬＲまたは像側レンズ群ＬＲの像側に、正レンズを有する。
【００７１】
［数値実施例］
以下に、実施例１〜７のそれぞれに対応する数値実施例１〜７を示す。また、数値実施例１〜７において、面番号は、物体側からの光学面の順序を示す。ｒは光学面の曲率半径（ｍｍ）、ｄは隣り合う光学面の間隔（ｍｍ）、ｎｄはｄ線における光学部材の材料の屈折率、νｄはｄ線を基準とした光学部材の材料のアッベ数を示す。アッベ数の定義は前述のとおりである。ＢＦはバックフォーカスを示す。
【００７２】
非球面は各数値実施例中の面番号の右側に＊印を付している。非球面形状は光軸方向をＸ軸、光軸と垂直方向をＨ軸、光の進行方向を正、Ｒを近軸曲率半径、Ｋを円錐定数、Ａ４、Ａ６、Ａ８、Ａ１０、Ａ１２をそれぞれ非球面係数とするとき、
【００７３】
【数１】
2020086305.tif 000003
【００７４】
で表している。非球面係数の「ｅ±ｘ」は１０±ｘを意味する。
【００７５】
数値実施例１〜７のそれぞれにおける、条件式（１）〜（７）に対応する値を表１に示す。
【００７６】
［数値実施例１］
単位 mm
面データ
面番号       r        d      nd         vd       有効径
1        112.147    2.40   1.90366    31.3       60.02
2         71.272    8.23   1.49700    81.5       58.49
3      -7459.449    0.15                         58.13
4         82.892    6.55   1.49700    81.5       56.63
5       1699.730  (可変)                         55.86
6     -25607.668    1.75   1.85150    40.8       33.35
7         24.930    4.73                         26.99
8       -161.592    1.40   1.53775    74.7       26.79
9         24.230    3.97   1.89286    20.4       24.10
10         99.056    2.16                         23.19
11        -53.039    1.20   1.76385    48.5       22.96
12      -1213.107  (可変)                         22.21
13(絞り)    ∞       0.40                         18.09
14         32.991    3.12   1.57501    41.5       18.74
15       -122.831    0.20                         18.75
16         36.540    3.60   1.61293    37.0       18.62
17        -48.962    1.00   1.95375    32.3       18.24
18         45.085    1.09                         17.88
19         49.738    1.00   1.95375    32.3       18.01
20         22.552    3.80   1.71999    50.2       17.78
21        -82.995    2.11                         17.75
22        -25.563    2.91   1.95375    32.3       17.56
23        -14.773    1.00   1.83400    37.2       17.94
24       -118.315  (可変)                         18.61
25*        60.756    4.29   1.58313    59.4       23.59
26*       -39.177    1.52                         23.95
27      29373.826    1.30   1.85478    24.8       24.93
28         74.143    9.06   1.49700    81.5       25.40
29        -26.280  (可変)                         26.82
30         77.159    2.67   2.00069    25.5       25.50
31       -495.414    1.35   1.89190    37.1       25.21
32         29.373  (可変)                         24.29
33        -35.391    1.50   1.89190    37.1       25.90
34       -357.011    0.15                         28.05
35        229.921    3.11   1.89286    20.4       29.06
36        -87.477  (可変)                         29.70
像面        ∞
非球面データ
第25面
K = 0.00000e+000  A 4=-3.15382e-006  A 6= 8.92401e-008  A 8=-2.62557e-010
A10= 2.43136e-012  A12= 1.92085e-015
第26面
K = 0.00000e+000  A 4= 1.94447e-005  A 6= 8.00656e-008  A 8=-7.14666e-011
A10= 9.56772e-013  A12= 8.59893e-015
各種データ
ズーム比     12.14
広角     中間     望遠
焦点距離      24.30    85.03   294.97
Fナンバー      4.12     5.40     6.49
半画角（度）  37.76    14.28     4.19
像高          18.82    21.64    21.64
レンズ全長   148.20   195.38   239.44
BF            12.23    47.13    64.46
d 5            0.99    33.28    72.72
d12           25.32    11.82     2.35
d24           10.75     4.24     1.00
d29           12.19     7.00     1.50
d32            9.00    14.19    19.69
d36           12.23    47.13    64.46
入射瞳位置    34.49    99.87   333.71
射出瞳位置   -50.09   -42.15   -40.82
前側主点位置  49.32   103.92  -197.75
後側主点位置 -12.07   -37.90  -230.51
ズームレンズ群データ
群  始面    焦点距離  レンズ構成長  前側主点位置  後側主点位置
1    1     124.17        17.33         3.93         -7.47
2    6     -20.13        15.22         3.67         -6.89
3   13      82.61        20.22       -13.32        -23.37
4   25      28.71        16.17         6.35         -5.70
5   30     -61.09         4.02         3.78          1.63
6   33    -126.25         4.76        -4.03         -6.83
単レンズデータ
レンズ  始面  焦点距離
1       1   -222.60
2       2    142.10
3       4    175.10
4       6    -29.25
5       8    -39.08
6       9     35.05
7      11    -72.64
8      14     45.56
9      16     34.69
10      17    -24.48
11      19    -44.05
12      20     25.01
13      22     32.43
14      23    -20.33
15      25     41.50
16      27    -86.96
17      28     40.25
18      30     66.87
19      31    -31.05
20      33    -44.14
21      35     71.30
【００７７】
［数値実施例２］
単位 mm
面データ
面番号       r        d      nd         vd       有効径
1        143.617    2.40   1.90366    31.3       62.20
2         83.786    8.23   1.49700    81.5       60.11
3       -602.682    0.15                         59.39
4         80.922    6.25   1.49700    81.5       55.70
5        786.036  (可変)                         54.91
6      -2448.226    1.75   1.76385    48.5       35.02
7         26.241    5.61                         28.16
8        -76.263    1.44   1.62299    58.2       27.92
9         29.070    4.30   1.89286    20.4       25.46
10        599.552    2.04                         24.70
11        -45.493    1.20   1.85150    40.8       24.47
12       -249.022  (可変)                         23.96
13         36.811    2.94   1.91082    35.3       19.44
14       -198.958    1.50                         19.38
15(絞り)    ∞       0.40                         19.07
16         34.864    3.31   1.63980    34.5       18.76
17        -83.784    1.00   2.00100    29.1       18.27
18         34.810    1.00                         17.67
19         33.613    1.00   2.00069    25.5       17.75
20         21.338    3.89   1.56732    42.8       17.36
21        -70.458    1.69                         17.27
22        -31.230    1.00   2.00069    25.5       17.03
23       -105.706  (可変)                         17.33
24*       -51.413    2.53   1.58313    59.4       22.24
25*       -34.214    0.28                         23.36
26         40.125    1.30   1.85478    24.8       26.65
27         32.879    8.78   1.49700    81.5       26.79
28        -28.072  (可変)                         27.53
29        220.444    4.74   1.92286    18.9       26.47
30        -48.490    1.43   1.90366    31.3       26.23
31         33.020  (可変)                         25.65
32        242.194    1.82   1.53775    74.7       27.47
33         60.000    4.14   1.84666    23.8       28.60
34        130.522  (可変)                         29.28
像面        ∞
非球面データ
第24面
K = 0.00000e+000  A 4=-4.79661e-007  A 6= 1.44401e-007  A 8= 5.68696e-010
A10=-2.79803e-013  A12=-1.23021e-014
第25面
K = 0.00000e+000  A 4= 1.72868e-005  A 6= 1.42782e-007  A 8= 3.68424e-010
A10= 2.17951e-012  A12=-1.70751e-014
各種データ
ズーム比     11.33
広角     中間     望遠
焦点距離      24.72    87.89   280.00
Fナンバー      4.12     5.40     6.49
半画角（度）  37.55    13.83     4.42
像高          19.00    21.64    21.64
レンズ全長   153.10   198.66   238.39
BF            14.32    43.02    51.45
d 5            1.38    37.17    73.03
d12           28.33    12.70     1.50
d23           16.88     6.13     1.86
d28           11.01     7.37     6.80
d31            5.06    16.15    27.63
d34           14.32    43.02    51.45
入射瞳位置    36.23   112.22   315.69
射出瞳位置   -52.93   -46.53   -53.61
前側主点位置  51.87   113.85  -150.56
後側主点位置 -10.40   -44.87  -228.55
ズームレンズ群データ
群  始面    焦点距離  レンズ構成長  前側主点位置  後側主点位置
1    1     129.37        17.03         4.55         -6.62
2    6     -20.07        16.33         4.21         -7.20
3   13      54.15        17.73       -12.96        -20.41
4   24      30.56        12.90         5.63         -3.11
5   29     -44.62         6.17         3.88          0.61
6   32     1007.43         5.96       -16.16        -19.27
単レンズデータ
レンズ  始面  焦点距離
1       1   -226.88
2       2    148.60
3       4    180.97
4       6    -33.98
5       8    -33.61
6       9     34.10
7      11    -65.55
8      13     34.31
9      16     38.90
10      17    -24.46
11      19    -60.87
12      20     29.32
13      22    -44.60
14      24    166.39
15      26   -232.22
16      27     32.00
17      29     43.44
18      30    -21.56
19      32   -148.84
20      33    127.72
【００７８】
［数値実施例３］
単位 mm
面データ
面番号       r        d      nd         vd       有効径
1        131.120    1.85   1.90366    31.3       56.81
2         68.310    8.50   1.49700    81.5       55.42
3       -753.163    0.15                         55.10
4         68.747    6.49   1.61800    63.4       53.51
5        673.951  (可変)                         52.75
6        254.617    1.28   1.85150    40.8       27.70
7         20.691    4.73                         22.48
8        -57.767    1.09   1.85150    40.8       22.06
9         47.350    0.58                         20.88
10         36.202    4.53   1.92286    20.9       20.63
11        -61.289    0.80                         19.68
12        -33.271    1.03   1.77250    49.6       19.48
13        337.961  (可変)                         18.62
14(絞り)    ∞       0.35                         16.37
15         27.127    3.03   1.76182    26.5       17.08
16      -1171.527    0.15                         16.97
17         19.790    3.52   1.58144    40.8       16.71
18       2966.939    0.82   2.00100    29.1       16.01
19         20.527    2.68                         15.27
20         35.971    0.80   2.00069    25.5       15.56
21         18.980    4.14   1.72000    43.7       15.32
22        -63.414    2.19                         15.25
23        -26.193    0.80   2.00100    29.1       14.88
24       -161.735  (可変)                         15.19
25*        45.834    2.42   1.53110    55.9       21.60
26*       249.120    0.90                         22.59
27       -168.391    1.25   1.85478    24.8       22.76
28        173.745    5.51   1.59282    68.6       23.83
29        -26.675    0.15                         25.09
30         45.614    6.21   1.49700    81.5       27.28
31        -45.413  (可変)                         27.38
32         93.690    1.83   1.80000    29.8       25.53
33        332.137    1.10   1.64000    60.1       25.22
34         23.511  (可変)                         24.07
35        -52.595    1.28   1.83481    42.7       26.98
36         55.809    5.36   1.84666    23.9       29.03
37       -108.959  (可変)                         30.00
像面        ∞
非球面データ
第25面
K = 0.00000e+000  A 4=-3.69552e-006  A 6=-1.82063e-007  A 8= 1.06130e-009
A10=-1.28998e-011  A12= 3.91238e-014
第26面
K = 0.00000e+000  A 4= 2.69060e-005  A 6=-1.86518e-007  A 8= 9.14337e-010
A10=-1.12600e-011  A12= 3.51294e-014
各種データ
ズーム比      9.42
広角     中間     望遠
焦点距離      24.72    85.00   232.80
Fナンバー      4.12     5.66     6.41
半画角（度）  37.55    14.28     5.31
像高          19.00    21.64    21.64
レンズ全長   142.45   184.29   214.45
BF            15.78    44.87    57.20
d 5            1.35    32.74    59.27
d13           22.27     8.68     2.35
d24            8.55     3.25     1.00
d31            3.81     4.58     1.55
d34           15.15    14.65    17.54
d37           15.78    44.87    57.20
入射瞳位置    30.65    98.92   259.23
射出瞳位置   -58.85   -45.03   -42.46
前側主点位置  47.18   103.55   -51.77
後側主点位置  -8.94   -40.13  -175.60
ズームレンズ群データ
群  始面    焦点距離  レンズ構成長  前側主点位置  後側主点位置
1    1     103.73        16.99         5.22         -5.67
2    6     -16.78        14.05         2.75         -6.90
3   14      61.09        18.48       -20.56        -25.29
4   25      22.88        16.44         7.18         -4.32
5   32     -53.26         2.93         2.48          0.75
6   35    -134.27         6.64        -3.78         -7.59
単レンズデータ
レンズ  始面  焦点距離
1       1   -160.04
2       2    126.45
3       4    123.37
4       6    -26.52
5       8    -30.41
6      10     25.22
7      12    -39.16
8      15     34.84
9      17     34.25
10      18    -20.65
11      20    -41.12
12      21     20.72
13      23    -31.32
14      25    105.32
15      27    -99.87
16      28     39.41
17      30     46.85
18      32    162.57
19      33    -39.59
20      35    -32.26
21      36     44.25
【００７９】
［数値実施例４］
単位 mm
面データ
面番号       r        d      nd         vd       有効径
1        159.830    1.90   1.95375    32.3       60.00
2         94.730    7.83   1.49700    81.5       59.00
3       -269.099    0.15                         58.78
4         72.354    4.93   1.49700    81.5       56.26
5        175.838  (可変)                         55.54
6        184.180    1.25   1.88300    40.8       30.39
7         22.733    4.72                         25.23
8       -114.801    1.15   1.81600    46.6       25.01
9         32.066    3.03   1.89286    20.4       23.40
10         53.730    0.20                         22.56
11         36.255    3.71   1.85896    22.7       22.26
12       -134.742    2.72                         21.47
13        -35.468    1.05   1.88300    40.8       19.13
14       2278.179  (可変)                         18.48
15(絞り)    ∞       0.21                         18.76
16         57.181    3.06   1.83481    42.7       19.29
17        -57.747    0.15                         19.44
18         41.068    4.15   1.49700    81.5       19.27
19        -31.694    1.78   2.00069    25.5       18.93
20       -106.535    1.28                         18.93
21        333.024    1.33   2.00069    25.5       18.61
22         53.972    2.20                         18.37
23        -36.939    0.80   1.53775    74.7       18.40
24         51.235    2.66   2.00069    25.5       19.12
25       -267.988  (可変)                         19.28
26*        35.662    6.30   1.59522    67.7       22.66
27*       -37.172    0.84                         23.24
28       -241.941    1.00   2.00100    29.1       23.30
29         41.065    8.38   1.48749    70.2       23.50
30        -27.647  (可変)                         24.64
31         47.747    2.60   1.85896    22.7       24.37
32        235.002    0.90   1.91082    35.3       24.03
33         28.115  (可変)                         23.25
34        -39.766    1.00   1.95375    32.3       24.57
35         36.123    5.55   1.85896    22.7       27.38
36        -73.000  (可変)                         28.24
像面        ∞
非球面データ
第26面
K = 0.00000e+000  A 4=-1.08436e-005  A 6= 4.17684e-009  A 8= 1.56372e-010
A10=-1.37020e-012  A12= 3.08084e-015
第27面
K = 0.00000e+000  A 4= 1.71699e-005  A 6=-8.18445e-009  A 8= 1.23550e-010 
A10=-1.04479e-012  A12= 2.33114e-015
各種データ
ズーム比     10.91
広角     中間     望遠
焦点距離      24.74    79.99   269.98
Fナンバー      4.50     5.60     7.10
半画角（度）  38.67    15.14     4.58
像高          19.80    21.64    21.64
レンズ全長   144.04   190.40   246.62
BF            13.50    47.65    65.57
d 5            0.85    33.41    80.40
d14           22.69    10.60     3.00
d25           15.27     5.24     1.03
d30            6.77     3.26     1.60
d33            8.13    13.40    18.19
d36           13.50    47.65    65.57
入射瞳位置    30.18    87.88   317.98
射出瞳位置   -43.68   -35.24   -33.78
前側主点位置  44.21    90.68  -145.67
後側主点位置 -11.24   -32.34  -204.41
ズームレンズ群データ
群  始面    焦点距離  レンズ構成長  前側主点位置  後側主点位置
1    1     141.20        14.81         3.36         -6.30
2    6     -17.65        17.83         4.29         -7.22
3   15      46.82        17.61        -4.11        -14.75
4   26      32.45        16.53         5.58         -6.52
5   31     -76.34         3.50         4.59          2.57
6   34     -72.50         6.55        -2.89         -6.66
単レンズデータ
レンズ  始面  焦点距離
1       1   -247.38
2       2    141.99
3       4    243.52
4       6    -29.48
5       8    -30.61
6       9     83.56
7      11     33.60
8      13    -39.54
9      16     34.84
10      18     36.69
11      19    -45.63
12      21    -64.52
13      23    -39.79
14      24     43.16
15      26     31.60
16      28    -35.01
17      29     35.31
18      31     69.32
19      32    -35.14
20      34    -19.72
21      35     28.81
【００８０】
［数値実施例５］
単位 mm
面データ
面番号       r        d      nd         vd       有効径
1        130.814    1.85   1.85025    30.1       56.51
2         69.416    7.99   1.49700    81.5       55.11
3      -2086.590    0.15                         54.71
4         68.855    6.30   1.60300    65.4       53.03
5        516.189  (可変)                         52.22
6        159.304    1.28   1.85150    40.8       27.54
7         21.523    4.83                         22.75
8        -54.834    1.09   1.83400    37.2       22.22
9         51.882    1.38                         21.06
10         46.488    3.90   1.92286    18.9       20.62
11        -63.719    1.01                         19.89
12        -32.600    1.03   1.75500    52.3       19.53
13       2153.054  (可変)                         18.83
14(絞り)    ∞       0.35                         14.74
15         29.820    4.02   1.76200    40.1       15.26
16        452.957    0.15                         15.21
17         22.394    3.98   1.58267    46.4       15.20
18        110.222    0.82   1.95375    32.3       14.44
19         22.609    2.05                         14.03
20         32.771    0.80   2.00100    29.1       14.29
21         17.525    3.72   1.72000    42.0       14.07
22        -66.125  (可変)                         14.01
23        -29.267    0.80   2.00100    29.1       13.47
24       -107.672  (可変)                         13.66
25*        51.345    2.15   1.56883    56.4       22.19
26*        94.496    1.57                         23.13
27       -118.928    1.25   1.90366    31.3       23.55
28        112.336    6.26   1.59522    67.7       24.79
29        -29.733    0.15                         26.39
30         43.123    5.33   1.49700    81.5       29.00
31        -59.141  (可変)                         29.05
32        472.486    3.56   1.75520    27.5       27.28
33        -44.196    1.10   1.71300    53.9       27.13
34         30.610  (可変)                         26.20
像面        ∞
非球面データ
第25面
K = 0.00000e+000  A 4=-1.44120e-005  A 6=-1.72139e-007  A 8= 6.29388e-010
A10=-6.67987e-012  A12= 2.15798e-014
第26面
K = 0.00000e+000  A 4= 5.28509e-006  A 6=-1.70632e-007  A 8= 4.72211e-010
A10=-4.49686e-012  A12= 1.50425e-014
各種データ
ズーム比      7.71
広角     中間     望遠
焦点距離      25.95    83.22   200.00
Fナンバー      4.50     5.80     7.10
半画角（度）  36.21    14.57     6.17
像高          19.00    21.64    21.64
レンズ全長   147.00   185.42   216.53
BF            31.56    58.54    75.59
d 5            1.33    33.26    58.29
d13           23.91     7.79     2.35
d22            2.66     2.98     3.66
d24           12.15     5.31     2.57
d31            6.52     8.67     5.19
d34           31.56    58.54    75.59
入射瞳位置    31.01    97.95   231.24
射出瞳位置   -54.99   -38.02   -33.33
前側主点位置  49.18   109.44    64.00
後側主点位置   5.61   -24.68  -124.41
ズームレンズ群データ
群  始面    焦点距離  レンズ構成長  前側主点位置  後側主点位置
1    1     108.63        16.29         4.51         -5.97
2    6     -17.13        14.53         2.91         -7.56
3   14      27.57        15.89         2.30         -8.82
4   23     -40.36         0.80        -0.15         -0.55
5   25      29.36        16.71         8.63         -2.90
6   32     -48.48         4.66         2.92          0.24
単レンズデータ
レンズ  始面  焦点距離
1       1   -176.39
2       2    135.34
3       4    131.07
4       6    -29.35
5       8    -31.82
6      10     29.63
7      12    -42.53
8      15     41.72
9      17     47.44
10      18    -29.96
11      20    -38.65
12      21     19.61
13      23    -40.36
14      25    194.16
15      27    -63.76
16      28     40.16
17      30     51.06
18      32     53.68
19      33    -25.21
【００８１】
［数値実施例６］
単位 mm
面データ
面番号       r        d      nd         vd       有効径
1        110.902    2.00   1.90366    31.3       60.00
2         70.024    7.70   1.49700    81.5       58.46
3        721.865    0.15                         58.05
4         68.200    7.25   1.49700    81.5       56.42
5        606.641  (可変)                         55.56
6        606.644    1.50   1.85150    40.8       29.18
7         25.291    4.16                         24.66
8       -101.202    1.40   1.53775    74.7       24.47
9         29.065    3.84   1.89286    20.4       22.48
10       -764.565    1.45                         21.70
11        -45.176    1.20   1.83481    42.7       21.44
12        176.271  (可変)                         20.64
13(絞り)    ∞       0.40                         15.02
14         34.823    3.18   1.58144    40.8       15.48
15        -70.817    0.20                         15.59
16         30.878    3.55   1.60342    38.0       15.52
17        -56.409    1.00   1.95375    32.3       15.07
18         38.938    1.02                         14.78
19         39.816    1.00   2.00100    29.1       14.90
20         20.275    3.83   1.71700    47.9       14.68
21        -71.673  (可変)                         14.62
22        -26.968    2.90   1.91650    31.6       14.22
23        -13.925    1.00   1.80100    35.0       14.51
24       -297.709  (可変)                         14.79
25*        55.100    5.35   1.58313    59.4       23.22
26*       -36.088    2.85                         23.80
27        138.847    1.50   1.85478    24.8       24.93
28         47.891    9.99   1.43875    94.7       25.04
29        -26.107  (可変)                         26.08
30       4536.734    4.25   2.00069    25.5       24.36
31        -29.924    1.35   1.89190    37.1       24.19
32         35.629  (可変)                         23.26
33        -23.054    1.50   1.91650    31.6       24.26
34        -99.305    5.29   1.89286    20.4       27.21
35        -33.974  (可変)                         29.36
像面        ∞
非球面データ
第25面
K = 0.00000e+000  A 4=-4.62964e-006  A 6= 4.48621e-008  A 8= 1.40226e-010
A10=-3.60276e-013  A12= 2.30562e-015
第26面
K = 0.00000e+000  A 4= 1.94445e-005  A 6= 4.39314e-008  A 8= 1.38140e-010
A10= 1.74595e-013  A12= 1.31257e-015
各種データ
ズーム比      7.86
広角     中間     望遠
焦点距離      28.00    70.00   220.00
Fナンバー      4.12     5.40     6.49
半画角（度）  34.16    17.18     5.62
像高          19.00    21.64    21.64
レンズ全長   145.54   173.70   209.15
BF            11.43    28.68    26.01
d 5            0.75    26.69    67.57
d12           24.14    11.38     2.35
d21            3.00     2.97     2.00
d24           11.68     5.61     1.00
d29            5.25     5.21     1.50
d32            8.48    12.35    27.90
d35           11.43    28.68    26.01
入射瞳位置    33.28    80.03   272.56
射出瞳位置   -51.93   -45.22   -47.82
前側主点位置  48.90    83.73  -162.92
後側主点位置 -16.57   -41.32  -193.98
ズームレンズ群データ
群  始面    焦点距離  レンズ構成長  前側主点位置  後側主点位置
1    1     123.72        17.10         3.34         -7.92
2    6     -19.34        13.55         3.75         -5.40
3   13      29.14        14.18         2.19         -7.31
4   22     -44.65         3.90        -0.81         -2.92
5   25      27.90        19.69         7.26         -8.47
6   30     -47.40         5.60         2.99          0.15
7   33    -105.17         6.79        -9.91        -14.89
単レンズデータ
レンズ  始面  焦点距離
1       1   -215.23
2       2    155.42
3       4    153.92
4       6    -31.03
5       8    -41.83
6       9     31.43
7      11    -42.97
8      14     40.60
9      16     33.58
10      17    -24.03
11      19    -42.35
12      20     22.43
13      22     28.40
14      23    -18.27
15      25     38.22
16      27    -86.18
17      28     40.16
18      30     29.72
19      31    -18.06
20      33    -33.07
21      34     55.71
【００８２】
［数値実施例７］
単位 mm
面データ
面番号       r        d      nd         vd       有効径
1         73.114    2.00   1.71736    29.5       59.00
2         53.750    9.22   1.49700    81.5       55.03
3        265.884    0.15                         51.61
4        123.623    4.38   1.49700    81.5       48.95
5        521.726  (可変)                         45.79
6        140.486    1.50   2.00100    29.1       41.28
7         29.327    7.61                         35.00
8       -137.779    1.40   1.53775    74.7       34.46
9         32.226    6.11   1.89286    20.4       32.03
10       -370.208    6.29                         31.27
11        -43.812    1.20   1.83400    37.2       25.89
12       2951.301  (可変)                         25.18
13(絞り)    ∞       0.40                         19.05
14         28.167    3.54   1.65412    39.7       19.95
15       -336.514    1.08                         19.84
16         38.028    6.16   1.64769    33.8       19.45
17        -50.895    1.00   1.95375    32.3       18.23
18         31.311    1.21                         17.64
19         36.919    1.22   1.95375    32.3       17.83
20         19.637    3.96   1.69350    50.8       17.50
21        -96.605    1.89                         17.47
22        -30.254    3.40   1.89190    37.1       17.30
23        -13.907    1.50   1.80100    35.0       17.60
24        375.894    9.32                         18.19
25*        65.535    4.06   1.58313    59.4       23.44
26*       -45.696   11.95                         23.90
27        134.050    1.50   1.91650    31.6       29.64
28         55.583    9.68   1.49700    81.5       29.93
29        -26.816  (可変)                         30.76
30       -772.801    3.88   2.00069    25.5       27.62
31        -38.671    1.35   1.89190    37.1       27.47
32         60.440  (可変)                         26.65
33        -34.241    1.50   1.89190    37.1       27.00
34        608.875    4.28   1.92286    18.9       29.03
35        -90.034  (可変)                         30.29
像面        ∞
非球面データ
第25面
K = 0.00000e+000  A 4=-5.95452e-007  A 6= 5.55283e-008  A 8= 1.28438e-010
A10=-2.78022e-014  A12= 2.32006e-015
第26面
K = 0.00000e+000  A 4= 1.68186e-005  A 6= 6.56287e-008  A 8= 1.50018e-010
A10= 4.70835e-013  A12= 1.81236e-015
各種データ
ズーム比      5.92
広角     中間     望遠
焦点距離      30.42    63.05   180.00
Fナンバー      4.00     5.60     6.30
半画角（度）  31.99    18.94     6.85
像高          19.00    21.64    21.64
レンズ全長   175.01   196.84   247.76
BF            12.22    27.10    39.24
d 5            0.75    18.81    55.75
d12           33.63    16.84     2.35
d29            8.33     5.80     1.50
d32            7.36    15.55    36.19
d35           12.22    27.10    39.24
入射瞳位置    43.23    72.89   183.04
射出瞳位置   -46.68   -47.77   -50.18
前側主点位置  57.94    82.84     0.69
後側主点位置 -18.20   -35.95  -140.76
ズームレンズ群データ
群  始面    焦点距離  レンズ構成長  前側主点位置  後側主点位置
1    1     144.49        15.74         0.25        -10.16
2    6     -24.08        24.10         6.73         -9.77
3   13      45.56        61.88        52.70        -45.22
4   30     -75.46         5.23         2.54         -0.11
5   33     -66.93         5.78        -2.07         -5.26
単レンズデータ
レンズ  始面  焦点距離
1       1   -295.66
2       2    133.62
3       4    324.79
4       6    -37.28
5       8    -48.43
6       9     33.44
7      11    -51.76
8      14     39.89
9      16     34.55
10      17    -20.21
11      19    -45.56
12      20     23.87
13      22     26.28
14      23    -16.71
15      25     46.80
16      27   -104.56
17      28     37.87
18      30     40.57
19      31    -26.27
20      33    -36.31
21      34     85.24
【００８３】
【表１】
2020086305.tif 000004
【００８４】
［撮像装置の実施例］
次に、撮像装置の実施例について図１５を用いて説明する。図１５は、撮像装置１０の構成を示す図である。撮像装置１０は、カメラ本体１３と、上述した実施例１乃至４のいずれかのズームレンズＺＬを含むレンズ装置１１と、ズームレンズＺＬによって形成される像を光電変換する受光素子（撮像素子）１２を備える。受光素子１２としては、ＣＣＤセンサやＣＭＯＳセンサ等の撮像素子を用いることができる。レンズ装置１１とカメラ本体１３は一体に構成されていても良いし、着脱可能に構成されていても良い。本実施例の撮像装置１０は、高速なフォーカシングができ、全物体距離にわたり高い光学性能を得ることができる。
【００８５】
なお、本発明の実施例の撮像装置は、図１５に示したデジタルスチルカメラに限らず、放送用カメラ、銀塩フィルム用カメラ、監視用カメラ等の種々の撮像装置に適用することができる。
【００８６】
以上、本発明の好ましい実施例について説明したが、本発明はこれらの実施例に限定されず、その要旨の範囲内で種々の組合せ、変形及び変更が可能である。
【００８７】
例えば、開口絞りＳＰは、第Ｎ−１レンズ群よりも物体側に配置されたレンズ群であれば第３レンズ群以外のレンズ群に含まれていてもよい。
【００８８】
例えば、ズームレンズにおいて、一部のレンズを光軸に対して直交方向の成分を含む方向に移動することにより、像ブレ補正を行ってもよい。また、ズームレンズが、回折光学素子等の屈折力の無い光学素子を有していても良い。
【符号の説明】
【００８９】
Ｌ１  第１レンズ群
Ｌ２  第２レンズ群
Ｌ３  第３レンズ群
ＬＲ  像側レンズ群
ＺＬ  ズームレンズ
【図１】
2020086305.tif 000005
【図２】
2020086305.tif 000006
【図３】
2020086305.tif 000007
【図４】
2020086305.tif 000008
【図５】
2020086305.tif 000009
【図６】
2020086305.tif 000010
【図７】
2020086305.tif 000011
【図８】
2020086305.tif 000012
【図９】
2020086305.tif 000013
【図１０】
2020086305.tif 000014
【図１１】
2020086305.tif 000015
【図１２】
2020086305.tif 000016
【図１３】
2020086305.tif 000017
【図１４】
2020086305.tif 000018
【図１５】
2020086305.tif 000019